(57)【特許請求の範囲】
【請求項１】
品質および生産性が向上した鶏卵を生産する方法であって、
ＭＲＥ共生菌群の胞子形成に伴う細胞融解で生じる免疫賦活物質を養鶏用飼料に添加して得られる添加飼料、及び／又は当該免疫賦活物質を飲料水に添加して得られる添加飲料水を採卵鶏に給餌する工程
を有し、前記免疫賦活物質は、前記ＭＲＥ共生菌群を培養し、得られた培養液を飢餓状態におくことにより当該共生菌群を内胞子化させ、さらにその培養液から当該内胞子化された共生菌群を含む不純物を除去することによって得られるものである、
ことを特徴とする、方法。
【請求項２】
請求項１記載の方法において、
前記品質の向上が、ハウユニット、黄身の高さ、卵殻強度の向上である
ことを特徴とする、方法。
【請求項３】
請求項１記載の方法において、
前記生産性の向上が、死鶏率の改善、産卵率の向上、破卵率の減少である
ことを特徴とする、方法。
【請求項４】
請求項１記載の方法において、
前記採卵鶏は、白色レグホン、さくら、もみじ、イサ・ブラウン、デカルブ・ワーレン
・セクサルリンク、ハーバード・コメット、シェーバー・スタークロス、ハイセックス・
ブラウン、ハイライン・ブラウン、横斑プリマスロック、ロードアイランド・レッド、ホ
シノクロス、ノーリン・クロス、名古屋コーチン、ロックホーン、白色プリマスロック、
ミノルカ、アローカナ、及び烏骨鶏からなる群から選択されるものである
ことを特徴とする、方法。
【請求項５】
請求項１記載の方法において、
前記免疫賦活物質は、点滴装置により前期飲料水に添加されるものである
ことを特徴とする、方法。
【請求項６】
品質および生産性が向上した鶏卵を生産するための養鶏用飼料を生成する方法であって、
養鶏用飼料に、ＭＲＥ共生菌群の胞子形成に伴う細胞融解で生じる免疫賦活物質を添加する工程
を有し、前記免疫賦活物質は、前記ＭＲＥ共生菌群を培養し、得られた培養液を飢餓状態におくことにより当該共生菌群を内胞子化させ、さらにその培養液から当該内胞子化された共生菌群を含む不純物を除去することによって得られるものである、
ことを特徴とする、方法。
【発明の詳細な説明】
【技術分野】
【０００１】
本発明は、養鶏用飼料および鶏卵の生産方法に関する。特に、高品質であり且つ生産性が向上した鶏卵を得るための方法に関する。
【背景技術】
【０００２】
従来、鶏を含む家禽類の卵の品質を向上させ、また生産性を向上させるために、その飼料の改良について様々な工夫がなされてきた。例えば、ビタミンＢ６を飼料に添加したり、また抗酸化作用を持つ茶エキス、ポリフェノール、イソフラボンアグリコン、梅酢などを飼料に添加したりすることにより、鶏の生存飼育率、産卵率、卵のハウユニット、殻の強度などの卵の品質や生産性を上げる試みがなされている（特許文献１〜５を参照）。
【先行技術文献】
【特許文献】
【０００３】
【特許文献１】特開平８−５６５８５号
【特許文献２】特開平８−２６６２３０号
【特許文献３】特許第４３０２８９５号
【特許文献４】特開２００２−３３０７０７号
【特許文献５】特開２００５−７３６５１号
【発明の概要】
【発明が解決しようとする課題】
【０００４】
ところで、これらの従来の方法はいずれも、抗酸化栄養素を含む栄養物を飼料に添加することにより、その飼料自体を富栄養化させ、その富栄養化した飼料を食べた鶏が生産した卵の栄養価も高くなるという原理に基づいている。すなわち、単に栄養価の高い飼料を給餌することで卵の栄養価を高めるものであり、鶏が生来有する卵の生産能（より栄養価の高い卵を生産する能力やより高品質の卵を生産する能力など）を高めるものではなかった。【０００５】
本発明は、このような状況を鑑みてなされたものであり、卵生産のための養鶏について従来の飼料や飼育法を大幅に変更せずに品質の高い卵を生産可能とするとともに、その生産性を向上させる方法を提供することを目的とする。また、本発明は、本願発明の免疫賦活物質を、養鶏用飼料だけではなく飲料水に添加することによっても、高品質の卵を生産させ、また生産性を向上させる方法を提供することを目的とする。  
【課題を解決するための手段】
【０００６】
本発明は、ＭＲＥ共生菌群の胞子形成に伴う細胞融解で生じる免疫賦活物質が養鶏の生命力を高め、上記課題を効果的に解決し得るという知見に基づくものである。本発明者らは、ＭＲＥ共生菌群の免疫賦活物質を約１００００倍に希釈して鶏に飲ませたところ、卵を産まなくなった鶏が再び卵を産むようになり、その卵のハウユニットや卵の殻の強度が著しく改善されたという事実を発見し、また同時に、飼育中の病気感染が少なくなり死鶏率も著しく減少することも見出した。【０００７】
したがって、本発明の第一の主要な観点によれば、品質および生産性が向上した鶏卵を生産する方法であって、ＭＲＥ共生菌群の胞子形成に伴う細胞融解で生じる免疫賦活物質を養鶏用飼料に添加して得られる添加飼料、及び／又は当該免疫賦活物質を飲料水に添加して得られる添加飲料水を採卵鶏に給餌する工程を有し、前記免疫賦活物質は、前記ＭＲＥ共生菌群を培養し、得られた培養液を飢餓状態におくことにより当該共生菌群を内胞子化させ、さらにその培養液から当該内胞子化された共生菌群を含む不純物を除去することによって得られるものである、ことを特徴とする、方法が提供される。【０００８】
このような構成によれば、鶏が生産する卵の品質と、その生産性を著しく改良することができる。また、本発明によれば、鶏が有する自然免疫による抗菌、抗ウイルス、抗真菌作用等を強化することができる。そしてこれにより鶏が生来有する卵の生産能を高めることができる。【０００９】
また、本発明の一実施形態によれば、このような方法において、前記品質の向上は、ハウユニット、黄身の高さ、卵殻強度の向上である。【００１０】
また、本発明の別の実施形態によれば、このような方法において、前記生産性の向上は、死鶏率の改善、産卵率の向上、破卵率の減少である。【００１１】
また、本発明の他の実施形態によれば、このような方法において、前記採卵鶏は、白色レグホン、さくら、もみじ、イサ・ブラウン、デカルブ・ワーレン・セクサルリンク、ハーバード・コメット、シェーバー・スタークロス、ハイセックス・ブラウン、ハイライン・ブラウン、横斑プリマスロック、ロードアイランド・レッド、ホシノクロス、ノーリン・クロス、名古屋コーチン、ロックホーン、白色プリマスロック、ミノルカ、アローカナ、及び烏骨鶏からなる群から選択されるものである。【００１２】
また、本発明の更に他の実施形態によれば、このような方法において、前記免疫賦活物質は、点滴装置により前期飲料水に添加されるものである。【００１３】
本発明の第二の主要な観点によれば、養鶏用飼料であって、ＭＲＥ共生菌群の胞子形成に伴う細胞融解で生じる免疫賦活物質を添加して得られるものであり、前記免疫賦活物質は、前記ＭＲＥ共生菌群を培養し、得られた培養液を飢餓状態におくことにより当該共生菌群を内胞子化させ、さらにその培養液から当該内胞子化された共生菌群を含む不純物を除去することによって得られるものである、ことを特徴とする、養鶏用飼料が提供される。【００１４】
さらに、本発明の第三の主要な観点によれば、上述の方法によって生産された鶏卵が提供される。【００１５】
なお、上記した以外の本発明の特徴及び顕著な作用・効果は、次の発明の実施形態の項を参照することで、当業者にとって明確となる。
【発明を実施するための最良の形態】
【００１６】
以下に、本願発明に係る一実施形態および実施例を説明する。  
本発明は、上述したように、ＭＲＥ共生菌群の胞子形成に伴う細胞融解で生じる免疫賦活物質を養鶏用飼料や飲料水に添加し、その添加した飼料や飲料水を鶏に給餌することで、品質および生産性が向上した鶏卵を生産するものである。すなわち、本発明は、栄養補助剤などを飼料に混ぜて栄養補給するという従来の方法とは異なり、単にＭＲＥ由来の免疫賦活物質を適宜希釈して、飼料や飲料水に添加するだけで、鶏自体が有する卵生産能を強化し、高品質の鶏卵の生産を可能としている。【００１７】
これは、抗酸化栄養素を含む栄養物を飼料に混入するという従来の方法とは異なり、鶏自体の自然免疫を活性化させるという方法によって、病気で死ぬ鶏が少なくなり、産卵率が改善され、ハウユニットの著しい増加や卵殻強度および卵黄高の増加を含む卵品質の向上が得られるという養鶏技術を確立するものである。本願発明に係る方法では、自然免疫活性化物質であるＭＲＥ由来の免疫賦活物質を少量与えれば良いため、鶏の飲用水に希釈混合するだけで高品質の鶏卵の生産を可能とする。【００１８】
自然免疫活性化物質であるＭＲＥ由来の免疫賦活物質を与えると、Ｉ型のインターフェロンであるインターフェロンαとインターフェロンβといういわゆるＳＯＳ物質の産生が活発になる。そして上皮細胞や好中球などの食細胞からαディフェンシンやβディフェンシンを始めとする様々な抗菌物質の分泌が活性化され、ウイルス、バクテリア、カビなどの病原菌に対する抗菌力が強化される。これにより死鶏率の減少が達成される。【００１９】
表１は、ヒトの血液を使ってＭＲＥ由来の免疫賦活物質によるＩ型のインターフェロン産生を測定したものである。鶏の場合は体温が著しく高いため、Ｉ型のインターフェロンやＩ型のインターフェロンによって刺激されて放出される抗菌物質もヒトより遥かに多いと考えられている。【００２０】
【表１】
0006043722.tif 000002
【００２１】
なぜ鶏の自然免疫を活性化させると、産卵率、ハウユニット、卵殻強度、卵黄高の増加等がみられるのかについては、２つの理由が考えられる。【００２２】
１つは、鶏を含む鳥類の体温が哺乳類より著しく高い点である。例えば、ヒトの平熱は約３６.５℃であるのに対し、鶏の平熱は約４２℃もある。他の哺乳類でも３９℃以下である。４２℃といえばヒトでは危険水準の体温である。【００２３】
自然免疫のメカニズムの中には、分子レベルでのスイッチングによって老朽化した細胞内器官をリソゾーム酵素によって分解するオートファジーという仕組みが作動することが分かっている。例えば、効率の悪い老朽化したミトコンドリアがリソゾーム酵素によって分解され、新しいミトコンドリアに入れ替わる仕組みが明らかにされている。このリソゾーム酵素は、温度が高い領域で活発になることが知られている。普通の消化酵素では著しく分解力が低下する４０℃〜６５℃でその分解力が最大になる。したがって、鳥類の場合、ＭＲＥ由来の免疫賦活物質の働きでリソゾーム酵素が哺乳類よりも活発に作用し、その分解力を高めることになる。すなわち、鶏の体温が高いことがＭＲＥ由来の免疫賦活物質の効果を高めていることになる。【００２４】
もう１つの理由は、卵子の細胞に含まれるミトコンドリアの数の多さである。通常の筋肉の細胞１つに含まれているミトコンドリアの数は、５００〜２０００個と言われている。これに対して、１つの卵子の細胞に含まれているミトコンドリアの数は、数万〜２０万個と言われている。ＡＴＰを産生するエネルギー工場であるミトコンドリアが卵細胞に著しく多いということは生命誕生にいかに莫大なエネルギーが必要かを暗示している。【００２５】
本願のＭＲＥ由来の免疫賦活物質は自然免疫系を活性化すると共に、卵子の細胞内の老朽化した働きの悪いミトコンドリアを分解除去し、若いミトコンドリアの再生を促す働きをする。もともと鶏の卵巣には約３万個の卵細胞があり、それが成熟して卵として産み落とされるが、通常１羽の雌鶏は３００〜３２０個の卵を産み落とし、産卵率が悪くなり、廃鶏されてしまう。卵細胞のミトコンドリアにＭＲＥ由来の免疫賦活物質が適用された場合、若いミトコンドリアによってＡＴＰ合成が活性化され、卵細胞の生命力が高まるため、産卵率が高まり、高品質の卵が生産される。【００２６】
このため、本願発明に係る方法によって生産された鶏卵は、ハウユニット、卵殻強度、卵黄高が増加し、通常の卵以上の鮮度を保つことができる。【００２７】
本願発明に係る「免疫賦活物質」は、好気性の細菌類であるＭＲＥ共生菌群の菌体を３０００Ｄａ以下(好ましくは１０００Ｄａ〜３００Ｄａ)の低分子領域まで母細胞融解酵素群やリソゾーム酵素群によって分解することで得られる。【００２８】
ここで、ＭＲＥ共生菌群は、バシラスｓｐ．（Ｂａｃｉｌｌｕｓ  ｓｐ．）（ＦＥＲＭ  ＢＰ−１１２０９、識別番号ＭＫ−００５）、リシニバシラス  フシフォルミス（Ｌｙｓｉｎｉｂａｃｉｌｌｕｓ  ｆｕｓｉｆｏｒｍｉｓ）（ＦＥＲＭ  ＢＰ−１１２０６、識別番号ＭＫ−００１）、バシラス  ソノレンシス（Ｂａｃｉｌｌｕｓ  ｓｏｎｏｒｅｎｓｉｓ）（識別番号ＭＫ−００４）、リシニバシラスｓｐ．（Ｌｙｓｉｎｉｂａｃｉｌｌｕｓ  ｓｐ．）（ＦＥＲＭ  ＢＰ−１１２０７、識別番号ＭＫ−００２）、及びコマモナスｓｐ．（Ｃｏｍａｍｏｎａｓ  ｓｐ．）（ＦＥＲＭ  ＢＰ−１１２０８、識別番号ＭＫ−００３）から成るものであり、いずれも好気性の細菌類である。【００２９】
本発明では、ＭＲＥ共生菌群を培養し、その内胞子化（スポア化）を促進することで母細胞融解酵素群を誘導させ菌体の低分子分解を行う。具体的には、まずＭＲＥ共生菌群の培養液を、培養ＰＨ６．０〜６．８、培養温度２５℃〜３０℃で、エアレーションにより溶存酸素濃度０．１ｍｇ／Ｌ〜１．０ｍｇ／Ｌの培養条件下で液体培養する。菌の栄養物としては、魚粉・米ぬか・油カス・肉汁および硫酸マグネシュウムやシリカなどを含むミネラルを与える。混合菌群の場合は、菌相互の安定な共生関係を構築するのを待つ。【００３０】
菌の培養が安定化したら、その栄養細胞状態にある菌群を別の曝気培養槽に分別し培養を続ける。つぎに分別した曝気培養槽でエアレーション(曝気)を続行しつつ、シリカを除く一切の栄養を絶ち飢餓状態下に置く。残存栄養物がなくなる頃、窒素成分の枯渇をトリガーにスポア化(内胞子化)が起こり、液が透明化してゆく。スポア化が完了したことを確認した上で、エアーレーション(酸素供給)を止め暫く静置するとスポア(内胞子)は一斉に沈殿を始め透明な上澄み液を得る。こうして得られた上澄み液を０．２μｍのメンブレンで濾過することにより、残存した極微量の培養細胞と残存浮遊する内胞子（スポア）とを除去し、養鶏用の自然免疫リガンドとなる免疫賦活物質の原液を得る。必要に応じて、さらに０.０２μのフィルターで濾過しても良い。本願発明に係る方法においては、上澄み液、メンブレン濾過液、０.０２μのフィルターで濾過のいずれも利用できる。【００３１】
例えば、ＭＲＥ共生菌群（ＭＫ−００１、ＭＫ−００２、ＭＫ００３、ＭＫ−００４、ＭＫ−００５）の培養液１ｍ３を同一形状の１．２ｍ３の２つの培養曝容器に入れ、溶存酸素濃度０．５ｍｇ／Ｌ〜１．２ｍｇ／Ｌになるようにエアレーション（曝気）を行う。その一つを培養細胞槽、他の一つをスポア化槽と呼ぶ。培養細胞槽には、魚粉５００ｇ、米ぬか５００ｇ、油カス２５０ｇ、肉汁５０ｇを最小限の栄養物として与え培養ＰＨ６．０〜６．８および培養温度２５℃〜３５℃の培養条件下でエアレーションを加え培養を続行した。一方、スポア化槽では一切の栄養を絶って飢餓状態下に置き、さらに２５℃〜３５℃の条件下でエアレーションを加え続けると窒素成分の枯渇をトリガーに内胞子化が始まる。培養液の透明度が増すのを待ってエアレーション（酸素供給）を止めると、内胞子は一斉に沈殿を始め透明な溶液になる。この溶液を０．２μｍのメンブレンで濾過し、さらに０．０２μｍのフィルターにかけたものを、再度良く洗浄したスポア化槽に入れて、分解力実験の準備を整える。ここで、ＭＲＥ菌をスポア化した液からフィルターによって残存母細胞とスポアを除去したものをＭＲＥ濾過液と呼ぶことにする。従って、ＭＲＥ濾過液には菌もスポアもほとんどない状態といえ、当該ＭＲＥ濾過液には免疫賦活物質が存在する。本発明は、この免疫賦活物質を利用するものである。【００３２】
本願発明において、上述の溶液に適用するメンブレン及びフィルターの大きさは特に制限されるものではない。例えば、メンブレンは１μｍ、０．７μｍ、０．５μｍ、０．３μｍであっても良く、好ましくは０．２μｍである。また、フィルターは、０．１５μｍ、０．１μｍ、０．０７μｍ、０．０５μｍ、０．０３μｍであっても良く、好ましくは０．０２μｍである。【００３３】
また、本願発明においては、上述の２つの培養細胞槽とスポア化槽を使用して、両方とも溶存酸素濃度０．５ｍｇ／Ｌ〜１．２ｍｇ／Ｌになるようにエアレーション（曝気）を行いつつ、以下の実験を行っている。【００３４】
こうして得られた自然免疫を活性化する免疫賦活物質を含有するＭＲＥを原料とする溶液は、養鶏の飲み水に混入されて１倍〜１００００倍、好ましくは１００〜５０００倍、さらに好ましくは１０００倍〜３０００倍に希釈されて使用されるが、好ましい効果が得られるものであれば特に限定されるものではない。具体的には、鶏１羽が１日に飲用する水の量は約３００ｍｌであるため、１羽あたり０.０３ｍｌ〜０.６ｍｌ、好ましくは０.１ｍｌ〜０.１５ｍｌの前記ＭＲＥを原料とする溶液を３００ｍｌの飲用水に混入または点滴混入するようにする。例えば１万羽であれば、３０００Ｌの飲用水に１Ｌ〜１．５Ｌの前記溶液を混入または点滴するようにすればよい。また、本願の免疫賦活物質含有溶液は点滴装置により飲料水に添加されることができ、点滴によって濃度調整をするためには点滴の袋を交換するだけで済むため、極めて効率的ある。【００３５】
従来の方法では、例えば梅酢を使用した方法でも１日１羽あたり２.５ｇの梅酢を飼料に混入する必要があるため、１万羽では１日２５０ｋｇもの梅酢を混入しなければならず、また酢特有の臭いもある。この点、本願発明に係るＭＲＥ由来の溶液は無味無臭の液体であるため、鶏による選り好みがない。しかも、１万羽分を用意しても１Ｌの量で済み、自然免疫を活性化するため、優れた副次効果も期待できる。【００３６】
この副次効果により、病死する鶏をほとんどなくすことが可能となり、ケージの広さを改良するだけで死鶏率もゼロに近づけることが可能となる。実際に、広いケージを備えた北京郊外の養鶏場で約８１２０羽の鶏に対して本願発明に係る免疫賦活物質を飲み水に添加して給餌したところ、病死および事故死した鶏の数が０であった。【００３７】
また本願発明に係る方法では、上述のようにして得られた免疫賦活物質を含有する溶液を、養鶏用飼料に添加することによっても達成される。この際、養鶏用飼料全体に対する免疫賦活物質の濃度は、上記した飲料水の場合と同じように調整し得る。【００３８】
また、ニワトリ以外にも、ウズラ、アヒル、ハト、ダチョウ等の他、その産生する卵を食用として利用可能な鳥類に対して、本願発明に係る免疫賦活物質を用いて卵の品質と生産性を向上させることができる。【００３９】
また、本願発明において、卵の品質と生産性を向上させることができるニワトリとしては、白色レグホン、さくら、もみじ、イサ・ブラウン、デカルブ・ワーレン・セクサルリンク、ハーバード・コメット、シェーバー・スタークロス、ハイセックス・ブラウン、ハイライン・ブラウン、横斑プリマスロック、ロードアイランド・レッド、ホシノクロス、ノーリン・クロス、名古屋コーチン、ロックホーン、白色プリマスロック、ミノルカ、アローカナ、烏骨鶏、等の種類のニワトリが含まれるが、これらに限られるものではない。
【実施例】
【００４０】
上述の通り、本願発明に係る方法によって、卵の品質と生産性が著しく改良されるばかりか、卵の味が良くすることができる。具体的には、死鶏率の減少、産卵率と産卵日数の増加、ハウユニットの向上、卵殻強度の増加、卵黄高の増加、箸で卵黄を摘める経過日数などが改善される。以下に具体例を説明する。【００４１】
実施例１
死鶏率の減少
通常の飼育方法（「通常飼育」と称する）と本願発明に係る飼育方法（「ＭＲＥ飼育」と称する）を用いて、それぞれ１００，２９０羽の鶏を飼育した。飼育３００日目において、通常飼育では５，７２１羽の死鶏（死鶏率５．７％）が発生したが、ＭＲＥ飼育では１，６８５羽（死鶏率１．７％）の死鶏しか発生しなかった。これにより本願のＭＲＥ由来の免疫賦活物質により死鶏率が大幅に減少したことがわかる。しかも、ＭＲＥ飼育による鶏の死因は病死によるものがゼロであった。よって、ケージの広さを広くすることで、死鶏率をゼロに近づけることが可能となる。【００４２】
実施例２
産卵率と産卵日数の増加
卵を産まなくなった鶏に本願のＭＲＥ由来の免疫賦活物質を与えると、再び卵を産むようになった。産卵率は約５％増加した。【００４３】
実施例３
卵の品質の向上
白色レグホン２０羽を２群Ａ群（１０羽）とＢ群（１０羽）に分け、Ｂ群の飲料水にＭＲＥ由来の免疫賦活物質の溶液を、最初の１か月は１０００倍希釈になるように、２か月目からは３０００倍希釈になるように点滴装置により混入して与えた。【００４４】
記録はＡ群とＢ群が産んだ卵を２か月間９回にわたり採取して、そのハウユニット、卵殻強度、黄身の高さ、黄身の色、卵の重さについて計測および記録し、集計した。【００４５】
その集計結果を表２に示し、以下に説明する。【００４６】
１．ハウユニット（ＨＵ）の向上：表２に示したように比較例（通常飼育）ではＨＵ値は平均７９．１であるのに対し、ＭＲＥ飼育によって産卵された卵のＨＵ値は平均８７．９であり、最大の平均では９３．４と著しく増加している。【００４７】
２．卵黄高の増加：表２に示したように卵黄の高さは、比較例（通常飼育）では６．４ｍｍであるのに対し、ＭＲＥ飼育によって産卵された卵では７．９ｍｍであり、最大の平均では９．０ｍｍと著しく高くなっている。【００４８】
３．卵殻強度の増加：表２に示したように卵殻強度は、比較例（通常飼育）では４．０ｋｇ／ｃｍ２であるのに対し、ＭＲＥ飼育によって産卵された卵では４．４ｋｇ／ｃｍ２であり、最大の平均では５．１ｋｇ／ｃｍ２と強度が著しく強化されている。【００４９】
４．箸で卵黄を摘める経過日数：比較例（通常飼育）では２〜３日目には卵黄は箸で摘まめなくなるが、ＭＲＥ飼育によって産卵された卵では６日たっても箸で摘まめるようになった。【００５０】
【表２】
0006043722.tif 000003
【００５１】
実施例４
死鶏率の減少、産卵率の増加、破卵率の減少
１５万５千羽を養鶏して卵を生産している養鶏場の鶏舎２棟を使用して比較試験を実施した。それぞれの鶏舎において雌鶏６４００羽ずつ同条件で飼育し、一方（Ａ群）の鶏舎の飲用水は通常の水を、他方（Ｂ群）の鶏舎の飲用水にはＭＲＥ由来の免疫賦活物質の溶液を最初の１か月は１０００倍希釈になるように、２か月目からは３０００倍の希釈になるように点滴装置により混入した。６４００羽の雌鶏は１日平均約１８６０Ｌの水を飲むため、ＭＲＥ由来の免疫賦活物質の溶液を最初の１か月目は１日１．９Ｌを、２か月目からは１日６２０ｍｌをＢ群の鶏舎の飲み水に混入投与した。【００５２】
その結果、通常飼育Ａ群の年間の死鶏率は６．９４％であったのに対し、ＭＲＥ飲み水を与えたＢ群の年間の死鶏率は２．１９％と著しく減少した。また、Ｂ群の死因は病死のものがほとんどなく、ケージが狭いことに起因する事故死がその多くの原因であった。【００５３】
産卵率も平均で５．２％上昇した。飼育開始後３８０日を過ぎた時点で、Ａ群の産卵率は７１．３％を下回ったが、Ｂ群の産卵率は８２．６％を維持していた。破卵率もＡ群が年間２．２％であったのに対して、Ｂ群では１．０％であった。【００５４】
実施例５
免疫賦活物質の製造
ＭＲＥ共生菌群の培養は、好気性グラム陽性菌の一般的な培養方法で培養を行う。１．２立法メ−トルの培養曝気槽に１０００リットルの水と入れエアレーション（曝気）を行う。その培養曝気槽に魚粉３ｋｇ、米ぬか３ｋｇ、油カス１．６ｋｇ、肉汁３５０ｇを栄養物として与え、さらに硫酸マグネシュウムやシリカなどのミネラルを適量加える。さらに菌体を投入し、培養ＰＨ６．０〜６．８および培養温度２５℃〜３５℃の培養条件下で、かつ溶存酸素濃度０．５ｍｇ／Ｌ〜１．２ｍｇ／Ｌになるようにエアレーション（曝気）を加えながらＭＲＥ共生菌培養する。【００５５】
菌の十分な増殖と安定化を待って、ＭＲＥ共生菌群の一切の栄養を絶って飢餓状態下に置き、さらに１５℃〜３５℃の条件下でエアレーションを加え続けると窒素成分の枯渇をトリガーにＭＲＥ共生菌群の内胞子化が始まる。培養液の透明度が一気に増すのを待ってエアレーション（酸素供給）を止めると、内胞子は一斉に沈殿を始め透明な上澄み液を得る。【００５６】
こうして得られた上澄み液をさらに０．２μのメンブレンで加圧ろ過し、免疫賦活物質を含有したＭＲＥ分解液を得る。エアレーションを止めるタイミングは、また、位相差顕微鏡でスポア化が完了したことを確認した上で行うことができる。【００５７】
その他、本発明は、さまざまに変形可能であることは言うまでもなく、上述した一実施形態に限定されず、発明の要旨を変更しない範囲で種々変形可能である。